(57)【要約】【課題】高級木製生き物飼育用観賞ケースを提供する。【解決手段】  無垢の木材を加工し組み立て、天板・側板・正面（ガラス扉）の開放を可能とし、コードの収納スペース、移動用の持ち手を設け、飼育トレーを脱着可能にした衛生管理を重視したことを特徴とする高級木製生き物飼育用観賞ケース。【選択図】図１
2009225779.tif 000002
【特許請求の範囲】
【請求項１】
天然無垢の木材を加工し組み立て、天板・側板・正面（ガラス扉）の開放を可能とし、コードの収納スペース、保温球のクリップ挟みの棚、白熱灯を吊り下げるパイプステー、空気循環装置（ファン）の向きを変えられるブランコ、移動用の持ち手を設け、飼育トレーを脱着可能にしたことを特徴とする衛生管理を重視した高級飼育用観賞ケース。
【発明の詳細な説明】
【技術分野】
【０００１】  本発明は、天然無垢の木材を使用し生き物への負担を軽減する、衛生管理を重視し利便性に優れた高級飼育用観賞ケースに関するものである。
【背景技術】
【０００２】  従来、天井部分のみ開放可能な正面引き戸の飼育ケースがあった。
【特許文献１】特開２０００−２３６７７２号広報
【特許文献２】特開２００５−２９５９６０号広報
【発明の開示】
【発明が解決しようとする課題】
【０００３】  そのために、次のような問題点があった。
（イ）湿度のコントロールができなかった。
（ロ）温度管理が困難であった。
（ハ）糞便の後始末や掃除メンテナンスが困難であった。
（二）衛生面において、病原菌の繁殖を抑えることができなかった。
（ホ）生き物自身の意思で自由に出入りすることができなかった。
（ヘ）取り付けた器具等のコードを収納できず見た目の悪さも否めなかった。
（ト）持ち手がなく、持ち運びする際に不便だった。
（チ）単なるケースだったことでインテリア性に乏しかった。
本発明は、これらの問題点を解決するためになされたものである。
【課題を解決するための手段】
【０００４】  天然無垢の木材を加工し組み立て、天板・側板・正面（ガラス扉）の開放を可能とした。コードの収納スペースを設けた。保温球のクリップ挟みの棚を設けた。白熱灯を吊り下げるパイプステーを設けた。空気循環装置（ファン）の向きを変えられるブランコを設けた。飼育トレーを脱着可能にした。移動用の持ち手を設けた。以上を特徴とする高級飼育用観賞ケースである。
【発明の効果】
【０００５】  天然無垢の木材を使用することによって温湿度管理が自然に近い状態で可能になった。天板・側面・前面（ガラス扉）が開放できるので夏の暑さ対策が可能となった。空気循環装置（ファン）の向きを変えられるブランコを設けたことで温湿度調整も容易となった。飼育ケース内のトレーが脱着式になっているので掃除をする際にケース自体を移動する必要が無く、トレーのみ取り外して掃除できるのでメンテナンスが容易になりかつ衛生も保たれる。側面に出入り口を設けたことで開放すれば室内飼育もでき、生き物自身の意思で自由に出入り可能となった。（開放するとスロープになる。）飼育器具コードの収納場所を設けているのでコードが見えず見た目にもスッキリとした。ケースを移動する際には持ち手があるので一人でも移動が可能である。外見は高級家具としての高級感があり天然無垢材を使用していることで老人ホームや病院、オフィスや理美容院やエステサロン、幼稚園・保育園・学校などで世話をする際にも親しみが増し癒し効果が向上することで観賞用としても最適である。中間に棚板を設けているので観葉植物などの栽培、観賞も可能になった。人にも生き物自体にも優しく衛生管理に優れた高級飼育用観賞ケースとなった。
【発明を実施するための最良の形態】
【０００６】  以下、本発明の実施の形態について説明する。
（イ）天板（右側）（１）が外れる。開放する際に折れるので収納も容易である。取っ手金具（１１）を引き出し持ち上げることで折りたためる。折りたたむ角度によって温度調整も容易となる。天板（左側）（２）と分離していることからタイマー等は天板（左側）（２）に置いたまま右側のみ開放が可能である。天板（左側）（２）はタイマーのコードを通す半丸穴（１６）を開けている。取り外しも可能であるため器具等のメンテナンスの際に取り外すことが出来、利便性がある。左右の天板は逆の仕様も可能であり飼育場所に適合できる。
（ロ）コード収納棚（３）を設けることで外からコードが見えないようにすることが可能。脱着式のためメンテナンスも容易となる。
（ハ）ホットスポットライト取り付けのためにクリップ挟み棚（４）を左右に設けた。
（二）蛍光灯、空気循環ファン設置のためにパイプステー（５）を装着する。蛍光灯設置にはＳカン（６）を付属する。また、空気循環ファン設置にはブランコ（７）とコード収納棚（３）にまたがせて乗せることができる。空気循環ファンは通常使用においては下向きに送風するが多湿時には上向きに設置し送風することで除湿が可能となる。
（ホ）観葉植物等を置けるように中間に飾り棚（８）を設ける。
（ヘ）右側面はプッシュラッチ（１２）で開放できるスロープ扉（９）を設ける。生き物が自由に出入りできるようまた滑り止めとして内側にパンチカーペットＡ（１０）を施す。扉には引き手金具Ａ（１３）を施しているので扉が床と直に接触せず衛生的である。差し込み蝶番（２２）を使用したことで脱着が可能であり取り外して洗浄が行える。左側面上方に丸穴（１４）を開けることでメインコードを通し、外に出すことができる。左側面下部に切り込み（１５）を入れることで保温パネルヒーターを差し込み収納することができる。左右側面は逆の仕様も可能であり設置場所に順応できる。
（ト）正面ガラス扉（１７）は中の様子が見やすいように傾斜になっている。えさやり糞便除去などの際にはアングル蝶番（１８）によって１８０度開閉するのでメンテナンスが容易である。引き手金具Ｂ（１９）を施しているので開閉が容易である。
（チ）正面下部前板（２０）はダボ（２１）取り付けにて前面に倒れるのでトレー（２３）の引出し作業が容易に行える。
（リ）トレー（２３）の内側はプラシート（２４）貼りでメンテナンスが容易である。トレー（２３）自体に防水処理を施しているため丸洗いが可能である。床面にはパンチカーペットＢ（２５）を敷いているので汚れたら丸洗いができ衛生的である。生き物の爪伸びを抑える時には、軽いレンガタイル（２６）を敷き詰めることで生き物の爪を自然に磨耗させることができる。汚れたら丸洗いが可能なことで衛生管理にも有効である。
（ヌ）両側面に持ち手ロープ（２７）を施しているので一人でも移動が容易である。
【図面の簡単な説明】
【０００７】
【図１】本発明の斜視図
【図２】本発明の上部・右側面・前面下部開放時の斜視図
【図３】本発明の正面ガラス扉開放時の斜視図
【図４】本発明の左側面図
【符号の説明】
【０００８】１    天板（右側）
２    天板（左側）
３    コード収納棚
４    クリップ挟み棚
５    パイプステー
６    Ｓカン
７    ブランコ
８    飾り棚
９    スロープ扉
１０  パンチカーペットＡ
１１  取っ手金具
１２  プッシュラッチ
１３  引き手金具Ａ
１４  丸穴
１５  切り込み
１６  半丸穴
１７  正面ガラス扉
１８  アングル蝶番
１９  引き手金具Ｂ
２０  正面下部前板
２１  ダボ
２２  差し込み蝶番
２３  トレー
２４  プラシート
２５  パンチカーペットＢ
２６  軽いレンガタイル
２７  持ち手ロープ
【図１】
2009225779.tif 000003
【図２】
2009225779.tif 000004
【図３】
2009225779.tif 000005
【図４】
2009225779.tif 000006